(57)【要約】【課題】  安価で電子機器の小型化を妨げることなくフレキシブル配線基板の誤挿入を防止すること可能な構成を提供する。【解決手段】  第１のコネクタ（１３ａ）が実装された第１の配線基板（１３）と、第２のコネクタ（７ａ）が実装された第２の配線基板（７）と、前記のコネクタに挿入され前記第１の配線基板（１３）と第２の配線基板（７）の信号を伝達し、前記コネクタに対応した第１のコネクタ端子部（１５ｇ）と第２のコネクタ端子部（１５ｍ）を有するフレキシブル配線基板（１５）と、発光部（９）を有する電子機器において、前記フレキシブル配線基板（１５）には突起部（１５ａ）が設けられ、前記第１のコネクタ端子部（１５ｇ）と第２のコネクタ端子部（１５ｍ）がそれぞれ逆のコネクタに挿入された場合には前記突起部（１５ａ）が発光部（９）前面に配置され、投光を阻害する。【選択図】  図２
2013120758.tif 000002
【特許請求の範囲】
【請求項１】
第１のコネクタ（１３ａ）が実装された第１の配線基板（１３）と、第２のコネクタ（７ａ）が実装された第２の配線基板（７）と、前記のコネクタに挿入され前記第１の配線基板（１３）と第２の配線基板（７）の信号を伝達し、前記コネクタに対応した第１のコネクタ端子部（１５ｇ）と第２のコネクタ端子部（１５ｍ）を有するフレキシブル配線基板（１５）と、外観から視認可能な発光手段（９）を有する電子機器において、前記フレキシブル配線基板（１５）には突起部（１５ａ）が設けられ、前記第１のコネクタ端子部（１５ｇ）と第２のコネクタ端子部（１５ｍ）がそれぞれ逆のコネクタに挿入された場合には前記突起部（１５ａ）が発光部（９）前面に配置され、投光を阻害することを特徴とする電子機器。
【請求項２】
前記第１のコネクタ（１３ａ）と第２のコネクタ（７ａ）は極数及び端子ピッチが同じであることを特徴とする請求項１に記載の電子機器。
【請求項３】
前記突起部（１５ａ）に誤挿入を判別するための判別用パターン（１５ｆ）が形成されることを特徴とする請求項１又は請求項２に記載の電子機器。
【請求項４】
前記突起部（１５ａ）に誤挿入を判別するための判別用パターン（１５ｆ）は銅箔あるいはシルク印刷からなることを特徴とする請求項１乃至請求項３の何れか１項に記載の電子機器。
【請求項５】
前記突起部（１５ａ）に補強板が貼り付けられていることを特徴とする請求項１乃至請求項４の何れか１項に記載の電子機器。
【請求項６】
前記発光部（９）はＡＦ補助光、メモリー書き込み時のアクセスランプ、ＡＦ合焦時に発光するフォーカスランプの電子機器使用時に利用される発光手段が用いられることを特徴とする請求項１乃至請求項５の何れか１項に記載の電子機器。
【発明の詳細な説明】
【技術分野】
【０００１】
本発明は、電子機器に関し、特に、配線基板上のコネクタにフレキシブル配線基板を挿入する際の誤挿入防止構造および検出方法に関するものである。
【背景技術】
【０００２】
近年、電子機器は小型化が求められている。小型化に伴って、フレキシブル配線基板が多く使用されている。フレキシブル配線基板は、薄くフレキシブルな這いまわしが可能であるため電子機器内部の信号の伝達に広く用いられるようになった。
【０００３】
デジタルカメラを例に挙げると、撮像素子やレンズ鏡筒、ストロボなどユニット制御信号やレリーズスイッチ、ズームスイッチなどの操作系の信号をＣＰＵが実装されたメイン配線基板へと伝達する手段としてフレキシブル配線基板が使用されている。
【０００４】
図１０（ａ）にデジタルカメラ内で使用されているフレキシブル配線基板の接続図を示す。１０１はＧＰＳモジュールユニットであり、アンテナ部１０２とＧＰＳ配線基板１０３からなる。ＧＰＳ配線基板１０３上にはＧＰＳによる測位を制御する回路ブロックとメイン配線基板１０４と接続を行うためのコネクタ１０３ａが実装されている。メイン配線基板１０４とＧＰＳモジュールユニット１０１はＧＰＳフレキシブル配線基板１０５により接続されている。ＧＰＳ配線基板１０３の下部にはシールドケース１０６が配置されメイン配線基板１０４からのノイズの混入を防止している。
【０００５】
図１０（ｂ）にＧＰＳフレキシブル配線基板１０５の配線図を示す。１０５ａは電源ライン、１０５ｂはグラウンドライン、１０５ｃは制御ライン群となっている。２つのコネクタ端子部を有しており、メイン配線基板１０４上のコネクタ１０４ａに接続されるコネクタ端子部１０５ｍとＧＰＳ配線基板１０３上のコネクタ１０３ａに接続されるコネクタ端子部１０５ｇがある。ＧＰＳは、ＣＰＵや電源回路などＧＰＳ以外の回路信号のノイズの影響を受けやすい。ノイズが載った場合には測位ができない、測位に時間がかかるなどの問題が発生する恐れがあるため、ＧＰＳに関係する信号のみを最短で配線されている。電源ライン１０５ａとグラウンドライン１０５ｂは安定的にＧＰＳを動作させるために制御ライン群１０５ｃと比較して極力太く配線している。ＧＰＳフレキシブル配線基板１０５のコネクタ端子部１０５ｍの近くには組立時にコネクタにフレキシブル配線基板を挿入しやすくするために挿入穴１０５ｅが設けられており、組立作業者は挿入穴１０５ｅにピンセットを通してコネクタの挿入方向にフレキシブル配線基板を押し込み挿入する。このＧＰＳフレキシブル配線基板１０５は信号数がメイン配線基板１０４側とＧＰＳモジュールユニット１０１側で同じであるが、信号線の太さが異なっているため誤って異なる向き、つまりコネクタ端子部１０５ｇがコネクタ１０４ａに挿入され、コネクタ端子部１０５ｍがコネクタ１０３ａに挿入されてしまうと必要な性能が得られなくなってしまう。
【０００６】
フレキの誤挿入を防止する手段としては、特許文献１のように、誤挿入を判別する回路を設けて検知する方法や、特許文献２のように別途の検知手段を設けるなどが行われている。
【先行技術文献】
【特許文献】
【０００７】
【特許文献１】特開２０１１−６０５６４号公報
【特許文献１】特開昭６３−５８５０２号公報
【発明の概要】
【発明が解決しようとする課題】
【０００８】
しかしながら、誤挿入を防止する回路を設けたり、検知手段を追加してしまうと、電子機器の小型化を妨げ、コストもかかってしまう。また誤挿入された際電子機器のユニットが動作しない場合はすぐに確認できるが、誤挿入された場合のパターンの違いが配線幅のみの場合には回路を用いての判別は困難な場合がある。
【０００９】
以上を鑑みて本発明では、部品を新たに追加することなく安価でフレキシブル配線基板の誤挿入を防止し、判別することが可能な構成を提案する。
【課題を解決するための手段】
【００１０】
本発明の電子機器は、
第１のコネクタ（１３ａ）が実装された第１の配線基板（１３）と、第２のコネクタ（７ａ）が実装された第２の配線基板（７）と、前記のコネクタに挿入され前記第１の配線基板（１３）と第２の配線基板（７）の信号を伝達し、前記コネクタに対応した第１のコネクタ端子部（１５ｇ）と第２のコネクタ端子部（１５ｍ）を有するフレキシブル配線基板（１５）と、外観から視認可能な発光手段（９）を有する電子機器において、前記フレキシブル配線基板（１５）には突起部（１５ａ）が設けられ、前記第１のコネクタ端子部（１５ｇ）と第２のコネクタ端子部（１５ｍ）がそれぞれ逆のコネクタに挿入された場合には前記突起部（１５ａ）が発光部（９）前面に配置され、投光を阻害することを特徴とする。
【発明の効果】
【００１１】
本発明によれば、安価で電子機器の小型化を妨げることなくフレキシブル配線基板の誤挿入を防止することが可能となる。
【図面の簡単な説明】
【００１２】
【図１】第一の実施例にかかる電子機器の正面分解斜視図
【図２】第一の実施例の基板接続部の斜視図
【図３】第一の実施例のＧＰＳフレキシブル配線基板の配線図
【図４】（ａ）は第一の実施例のＧＰＳフレキシブル配線基板誤挿入時の斜視図、（ｂ）は第一の実施例のＧＰＳフレキシブル配線基板の誤挿入時の配線図
【図５】（ａ）、（ｂ）はそれぞれ第一の実施例のＧＰＳフレキシブル配線基板図
【図６】第一の実施例の基板接続部の補強板貼り付け時の斜視図
【図７】第二の実施例の基板接続部の斜視図
【図８】第二の実施例のＧＰＳフレキシブル配線基板の配線図
【図９（ａ）】第二の実施例にかかるＧＰＳフレキシブル配線基板誤挿入時の斜視図（その１）
【図９（ｂ）】第二の実施例にかかるＧＰＳフレキシブル配線基板誤挿入時の斜視図（その２）
【図９（ｃ）】第二の実施例にかかるＧＰＳフレキシブル配線基板誤挿入時の斜視図（その３）
【図１０】（ａ）は従来例にかかるフレキシブル配線基板の接続斜視図、（ｂ）は従来例にかかるフレキシブル配線基板の配線図
【発明を実施するための形態】
【００１３】
［実施例１］
以下、図面を参照して本発明の実施の形態を詳しく説明する。
【００１４】
図１は本発明におけるデジタルカメラの正面分解斜視図である。１はデジタルカメラの正面側を覆う前面カバーである。２は上側を覆う上面カバーであり、レリーズボタン３や電源ボタン４が保持されている。５はレンズを保持する鏡筒である。６はストロボユニットでありストロボ発光部は発光時以外は収納されている。７はメイン配線基板であり、ＣＰＵ８やメモリ、鏡筒駆動回路、オーディオ回路、電源回路等が実装されている。９はＡＦ補助光であり、撮影時に被写体が暗い場合にはＡＦ補助光９で投光し被写体を明るくすることで、ＡＦ可能にするためのものである。ＡＦ補助光９は、レンズ鏡筒５に保持されている。鏡筒５には円形のレンズが収納されるため鏡筒５とメイン配線基板７の間の上部には空間ができる。この隙間にＡＦ補助光９を配置するとデジタルカメラのスペースを効率的に利用することができる。また投光時のＡＦ補助光９をレンズの画角に対して精度よく投光させるめに、ＡＦ補助光９はレンズと同じ鏡筒５によって保持されている。前面カーバー１にはＡＦ補助光窓１０が配置されている。１１はＧＰＳモジュールユニットであり、ＧＰＳモジュールユニット１１はＧＰＳアンテナ１２とＧＰＳ配線基板１３かなる。１４はシールドケースでありメイン配線基板７からのノイズを抑えている。１５はＧＰＳフレキシブル配線基板である。ＡＦ補助光９と同様にＧＰＳモジュールユニット１１も鏡筒５の隙間を使用して配置することでデジタルカメラ本体の高さが増加しないように効率よく配置されている。
【００１５】
図２にＧＰＳモジュールユニット１１とメイン配線基板７との接続部の斜視図を、図３にＧＰＳフレキシブル配線基板の配線図を示す。メイン配線基板７にはＧＰＳフレキシブル配線基板と接続されるコネクタ７ａを有している。コネクタ７ａはコネクタ端子部がフレキの表裏のどちらの面にあっても接続が可能な両接点のコネクタとなっている。ＧＰＳ配線基板１３にはコネクタ１３ａが実装されており、コネクタ７ａと同様両接点コネクタとなっている。またコネクタのピッチ及び極数がコネクタ７ａとコネクタ１３ａは同じになっている。ＧＰＳフレキシブル配線基板１５には突出部１５ａが設けられている。また２つのコネクタ端子部を有しており、メイン配線基板７上のコネクタ７ａに接続されるコネクタ端子部１５ｍとＧＰＳ配線基板１３上のコネクタ１３ａに接続されるコネクタ端子部１５ｇがある。コネクタ端子部には補強板が１５ｎと１５ｈが貼り付けられている。これは挿入時のフレキに強度を持たせる役割と、コネクタの接圧を維持し接触信頼性を保つ役割がある。１５ｂは挿入穴であり、組立時にピンセットを挿入穴１５ｂに差し込み、コネクタの挿入方向に押し込むことによって接続される。ＧＰＳモジュールユニット１１のコネクタ１３ａにＧＰＳフレキシブル配線基板１５を挿入する際はＧＰＳモジュールユニット１１を本体に組み付ける前であるため容易に挿入することができるが、メイン配線基板７上のコネクタ７ａに挿入する際には作業スペースが他の部品により少なくなるため挿入穴１５ｂを設けることで組立作業性を向上させている。
【００１６】
ＧＰＳフレキシブル配線基板１３のパターンに関して説明する。１５ｃはＧＰＳモジュールユニットを動作で使用される電源を供給する電源ラインであり、１５ｂはグラウンドラインであるため極力太く配線されていている。１５ｅは制御ライン群である。制御ライン群１５ｅにはＣＰＵと信号をやり取りするためのＧＰＳのオンオフ用ライン、シリアル通信用ラインやスタンバイモード移行用ライン、リセット信号を送るライン等からなっており、電源やグラウンドと比較すると太い信号線は不要となっている。ＧＰＳフレキシブル配線基板自体の幅は細い方がフレキの腰が少なくなり、組立作業性がいいため、突出部１５ａを除く個所はフレキの幅が細くなるように電源やグラウンドを十分に取りながら制御ライン群を細く配線している。
【００１７】
誤挿入防止の方法について説明する。図４（ａ）にＧＰＳフレキシブル配線基板１５が誤って逆向きに挿入された図を示す。図４（ｂ）は誤挿入時の配線図である。コネクタ端子部１５ｇがコネクタ７ａに挿入され、コネクタ端子部１５ｍがコネクタ１３ａに挿入された誤挿入状態である。ＧＰＳフレキシブル配線基板の突出部１５ａには銅箔のべた面１５ｆが入っている。ＧＰＳフレキシブル配線基板１５が誤挿入されると、突出部１５ａがＡＦ補助光９の前面を塞ぐように配置される。これにより誤って組立られた際にも、組立後にＡＦ補助光を発光させるだけで誤挿入の確認をすることができる。もしＡＦ補助光９の光がＡＦ補助光窓１０から投光されない場合にはフレキが誤挿入されていることが疑われる。
【００１８】
さらにＡＦ補助光の問題なのか、誤挿入なのかを判別する方法を図５を用いて説明する。図５（ａ）、（ｂ）は突出部１５ａに判別用の形状を入れておきその形状がＡＦ補助光窓１０より確認された場合には誤挿入されていることが確認できるようにするものである。図５（ａ）の場合には×印が投光され、（ｂ）の場合にはＡＦ補助光窓の片側だけが光ることにより誤挿入を確認できる。この状態でＡＦ補助光が発光していない場合にはＡＦ補助光自体の問題であることが分かる。
【００１９】
次に色による判別の仕方を説明する。誤挿入された際にＡＦ補助光９の光はフレキを透過してくるためＡＦ補助光窓から見える光はフレキの色に変化していることが確認できる。ＡＦ補助光の色は通常白か撮像素子の感度の高い色たとえば緑色に発光させる。ポリイミドからなるフレキの場合にはポリイミド自体の琥珀色に変化した光がＡＦ補助光窓１０より確認することができる。さらに図６は突出部１５ａには補強板１５ｉが貼り付けられている。１５ｉの材質にポリイミドを用いることによりその補強板１５ｉの厚みによって透過する光の量を調節することも可能である。
【００２０】
突出部１５ａに入れるパターンは銅箔でなくともシルク印刷等で代用してもよい。
【００２１】
これらの構成にすることで部品や回路を新たに追加する必要がなく、組立後にＡＦ補助光の発光部を見ることで誤挿入がされていないかが確認できる。確認する際にもデジタルカメラを分解する必要がなく、ＡＦ補助光の問題との識別も可能である。
【００２２】
本実施形では、発光源としてＡＦ補助光を用いたが、電子機器で使用される電源ランプやメモリーカードに記録している際に点灯するアクセスランプ、ＡＦ合焦時に発光するフォーカスランプ等を用いてもよい。
【００２３】
［実施例２］
本実施例では、第一の実施例との相違点のみ説明する。
【００２４】
図７に実施例２の接続図を、図８に実施例２におけるＧＰＳフレキシブル配線基板を示す。１６はＧＰＳフレキシブル配線基板である。本実施例においてはＧＰＳ配線基板１３上のコネクタａとメイン配線基板７上のコネクタａが直線状に一致しておりＧＰＳフレキシブル配線基板１６の形状が直線になる場合を示している。この場合には、フレキの表裏と上下反転の４通りの挿し方ができてしまう。ＧＰＳフレキシブル配線基板１６は突出部１６ａ、１６ｂ、１６ｃの３つの突出部を有している。１６ｄは電源ライン、１６ｅはグラウンドライン、１６ｆは制御ラインとなっている。電源ライン１６ｄ、グラウンドライン１６ｅは制御ラインよりも太く配線している。１６ｇはＧＰＳ配線基板１３上のコネクタ１３ａ側に挿入されるコネクタ端子部、１６ｍはメイン配線基板７上のコネクタ７ａに挿入されるコネクタ端子部である。
【００２５】
誤挿入された際の図を図９（ａ）、（ｂ）、（ｃ）に示す。正しい組み方以外では突出部がＡＦ補助光９の前面に配置されるようになっている。突出部１６ａ、１６ｂ、１６ｃには、必要に応じてパターンや補強板を追加してもよい。また追加するパターンをそれぞれ変化させて、誤挿入の状態を判別できるようにしてもよい。
【００２６】
メイン配線基板７側とＧＰＳ配線基板１３側のコネクタが双方とも両接点コネクタの場合には図８（ａ）の場合は信号線の太さの面では正しく挿入された場合と同様に動作するが、正規の組み方と異なり接点面が逆になっていることから誤挿入と判別するようにしている。
【００２７】
このような形状にすることにより、フレキが直線形状になる場合においてもの誤挿入を防止し、判別が可能となる。
【符号の説明】
【００２８】
７    メイン配線基板
９    ＡＦ補助光
１０  ＡＦ補助光窓
１１  ＧＰＳモジュールユニット
１３  ＧＰＳ配線基板
１５、１６  ＧＰＳフレキシブル配線基板
【図１】
2013120758.tif 000003
【図２】
2013120758.tif 000004
【図３】
2013120758.tif 000005
【図４】
2013120758.tif 000006
【図５】
2013120758.tif 000007
【図６】
2013120758.tif 000008
【図７】
2013120758.tif 000009
【図８】
2013120758.tif 000010
【図９（ａ）】
2013120758.tif 000011
【図９（ｂ）】
2013120758.tif 000012
【図９（ｃ）】
2013120758.tif 000013
【図１０】
2013120758.tif 000014